(57)【特許請求の範囲】
【請求項１】
蓋体（１）に形成された長孔（２）と容器本体（３）に形成された係止孔（４）との間に挿入される蓋固定具（Ｃ）であって、
断面略Ｕ字状で弾性変形可能な胴部（５）を備え、
この胴部（５）を構成する一方の外側壁面（５ａ）に、前記長孔（２）に係止される嵌合爪（６）が突出形成され、
前記胴部（５）を構成する他方の外側壁面（５ｂ）に、前記長孔（２）に係止される一対の嵌合爪（７）、（７）と、前記係止孔（４）に係止される突条（９）とがスリット（Ｓ）を介して不連続に形成されているとともに、前記突条（９）を揺動操作するレバー部（１０）が一体に形成されていることを特徴とする蓋固定具。
【請求項２】
蓋体（１）を容器本体（３）に着脱自在に固定する合成樹脂製容器の蓋固定構造であって、
長孔（２）が形成された蓋体（１）の容器本体（３）と対向する側の内面に、一対のガード片（１１）、（１１）を立設し、これらのガード片（１１）、（１１）により、前記長孔（４）内に挿入された弾性変形可能な固定具（３）の横揺れを規制するようにしたことを特徴とする合成樹脂容器の蓋取付装置。
【発明の詳細な説明】
【０００１】
【発明の属する技術分野】
本発明は、蓋固定具およびこの蓋固定具を用いた合成樹脂製容器の蓋固定構造に関する。
【０００２】
【従来の技術】
合成樹脂製容器の中には、例えば、ビール瓶などを多段に積層して運搬する容器のように、開口部に蓋体を取り付ける必要のない容器と、部品などを配送するコンテナで採用されているように、開口部に蓋体をロック状態で取り付けて内部を開けることができないようにした容器とがあり、開口部に蓋体をロックする容器は、搬送途中に他の人が内部の物品を扱うことができない、又は容易に蓋が開かないといった利点がある。
【０００３】
従来、このように、蓋体を容器本体に固定する蓋固定具として、実公平７−２４３６号公報に開示されたものがある。この固定具は、図６および図７に示したように、全体として略四角のボタン形であり、周囲の側壁に爪３３，３４，３５とがそれぞれ形成されている。そして、この固定具は、蓋Ｂに形成された通し孔３９から容器本体Ａに形成された通し孔４０内に挿入されることにより、蓋Ｂを容器本体Ａから外れないように一体に取付けている。なお、この固定具は、蓋押さえヘッド３１を厚さ方向に揺動すれば、蓋Ｂと容器本体Ａとのロックを解除して取り外すことができる。
【０００４】
【発明が解決しようとする課題】
ところで、上記した実公平７−２４３６号公報の蓋固定具では、使用状態から蓋押さえヘッド３１を揺動操作しなくても、蓋Ｂに衝撃等の不用意な外力が加えられた場合には、その外力が蓋Ｂと容器本体Ａとの接合面に伝えられてボタン状の蓋固定具に作用し、その結果、蓋体Ｂの容器本体Ａへのロックが外れてしまうという問題があった。このような不用意な解除は、単に積み重ねる作業中であっても生じる場合があり、改善が求められていた。
【０００５】
また、従来の蓋固定具は、通常、蓋Ｂの内側に露出した状態で仮止めされているため、周囲の物品に衝突され易い状態にあり、衝突が生じてしまうと、破損したり、簡単に外れてしまうという問題があった。
本発明は上記実情に鑑み、蓋体を容器本体に固定する蓋固定具であって、固定された蓋体が容器本体から不用意に外れたり、破損されたりしない蓋固定具およびこの蓋固定具を用いた合成樹脂製容器の蓋固定構造を提供することを目的としている。
【０００６】
【課題を解決するための手段】
上記目的を達成するための本発明に係る蓋固定具は、
蓋体１に形成された長孔２と容器本体３に形成された係止孔４との間に挿入される蓋固定具Ｃであって、
断面略Ｕ字状で弾性変形可能な胴部５を備え、
この胴部５を構成する一方の外側壁面５ａに、前記長孔２に係止される嵌合爪６が突出形成され、
前記胴部５を構成する他方の外側壁面５ｂに、前記長孔２に係止される一対の嵌合爪７、７と、前記係止孔４に係止される突条９とがスリットＳを介して不連続に形成されているとともに、前記突条９を揺動操作するレバー部１０が一体に形成されていることを特徴としている。
【０００７】
係る構成による本発明によれば、胴部５に形成された嵌合爪６，７により蓋固定具Ｃが蓋体１に予め仮止めされるとともに、容器本体３内に胴部５が挿入されたときに、突条９が容器本体３の長孔２を乗り越えて弾性力を付与するので、蓋体１を容器本体３に固定することができる。
また、本発明に係る蓋固定具は、蓋体１を容器本体３に着脱自在に固定する合成樹脂製容器の蓋固定構造であって、
長孔２が形成された蓋体１の容器本体３と対向する側の内面に、一対のガード片１１、１１を立設し、これらのガード片１１、１１により、前記長孔４内に挿入された弾性変形可能な固定具３の横揺れを規制するようにしたことを特徴としている。
【０００８】
このような構成によれば、蓋体の内側にガード片１１，１１が立設されているので、固定具の他の物品との衝突による損傷を防止できるとともに、蓋体１が容器本体３に固定された状態を維持することができる。
したがって、蓋体１と容器本体３とのロック状態を維持することができる。
【０００９】
【発明の実施の形態】
以下、図面を参照しながら本発明の実施例について説明する。
図１は本発明の一実施例による蓋固定具を示したものである。
この蓋固定具Ｃは、弾性変形可能な胴部５を備えている。この胴部５は、合成樹脂により断面略Ｕ字状に形成されることにより、弾性変形可能になっている。
【００１０】
胴部５を構成する一方の外側壁面５ａには、幅方向全体に嵌合爪６が突出形成され、その上部に所定間隔離間してフランジ部１２が形成されている。一方、胴部５を構成する他方の外側壁面５ｂには、所定間隔離間してスリットＳ，Ｓが形成され、全体が３つに分割されている。そして、３つに分割された両側の壁面部分には、嵌合爪７，７が形成され、その上部にフランジ部１３，１３が形成されている。他方、中央の壁面部分には、突条９が突出形成されている。この突条９は、上記嵌合爪７および６に比べて一段低い位置に形成されている。また、中央の壁面部分は背が高く形成されている。この背が高く延長された部分は、突条９を幅方向に揺動操作するレバー部１０として機能している。
【００１１】
蓋固定具Ｃが取付られる蓋体１の端部には、図２に示したように、蓋固定具Ｃを挿入できる大きさの長孔２が形成されている。そして、この長孔２の裏面側すなわち、容器本体３側の内面に、板状のガード片１１，１１が一体成形されている。このガード片１１の高さは、蓋固定具Ｃを差し込んだときに、胴部５が隠れる高さとなっている。
【００１２】
一方、図３に示したように、容器本体３の開口端部にはフランジ部３ａが形成され、このフランジ部３ａに係止孔４が形成されている。この係止孔４は蓋体１の長孔２とガード片１１に対応しており、この係止孔４に蓋固定具Ｃの下端部が挿入される。
以下、蓋固定具Ｃを使用して蓋体１を容器本体３に固定するときの作業について説明する。なお、図４および図５は、蓋体１が蓋固定具Ｃにより容器本体３に取り付けられた状態を示す断面図で、図４は、図３におけるIV−IV線方向の断面図、図５はＶ−Ｖ線方向の断面図である。
【００１３】
先ず最初に蓋体１には、予め、蓋固定具Ｃが取り付けられる。その場合、図２に示したように、蓋固定具Ｃが蓋体１の長孔２内に挿入される。すると、蓋固定具Ｃに設けられた両側の嵌合爪６および７が、蓋体１の長孔２に係止されるので、蓋固定具Ｃが蓋体１に仮止めされることになる。蓋体１の裏側では、胴部５の両側にガード片１１，１１が立設されているので、このガード片１１，１１により、胴部５が外部から保護されるとともに、胴部５の長孔２内での移動が規制される。
【００１４】
次に、この固定具Ｃが取付られた状態から、蓋体１が容器本体３に合致される。すなわち、蓋体１に取付られた蓋固定具Ｃの下端部が、今度は容器本体３側の係止孔４に挿入される。すると、中央の突条９は係止孔４を乗り越える（図４および図５参照）。このように、本実施例によれば、嵌合爪６，７および突条９を介して、蓋体１が容器本体３に確実に固定されるので、蓋体１が容器本体３に一体に固定される。
【００１５】
なお、容器本体３から蓋体１を取り外したい場合には、蓋固定具Ｃのレバー部１０を幅方向に、すなわち図５に矢印で示したように揺動させれば、中央の突条９が容器本体３から外れ、蓋体Ｃと容器本体３との固定状態を解除することができる。したがって、この係合が解除された状態から蓋体Ｃを持ち上げれば、この蓋体Ｃを容器本体３から完全に取り外すことができる。なお、このとき、蓋固定具Ｃは蓋体１に取り付いたままである。この状態で、蓋固定具Ｃの周囲にはガード片１１が立設されているので、蓋固定具Ｃが損傷を受けることはない。
【００１６】
以上、本発明の一実施例について説明したが、本発明は上記実施例に限定されない。例えば、上記実施例では、容器本体３と蓋体１との形状は、特に限定されるものではない。また、この蓋固定具Ｃを用いた蓋固定構造は、折り畳みコンテナに適用できることは勿論であるが、図５の従来例に示したように、通常のコンテナなどにも適用可能である。また、この蓋固定具Ｃの一つの容器に対する取付箇所および取付個数は、実施例に何ら限定されない。１つの容器に対し、１つあるいはそれ以上設置することができる。
【００１７】
【発明の効果】
以上説明したように、本発明に係る蓋固定具では、蓋体と容器本体とをワンタッチで固定することができる。また、蓋体と容器本体とは、互いに対向する側の嵌合爪および突条により係止されるので、不用意に外れることはない。
さらに、この蓋固定具を用いた合成樹脂製容器の蓋固定構造では、蓋体の裏側にガード片が取付られているので、蓋固定部材が外部の物品から損傷されることを防止できる。また、蓋体が容器本体にロックされた状態において、外力が容器本体または蓋体に加えられても、ガード片により蓋固定部材の横方向への移動が防止されるので、蓋固定具が外れてしまうことがない。
【図面の簡単な説明】
【図１】本発明の一実施例による蓋固定部材の斜視図である。
【図２】同実施例による蓋固定部材が蓋体に取付られる前の斜視図である。
【図３】同実施例の蓋固定部材を用いて、蓋体と容器本体とを固定するときの斜視図である。
【図４】図３におけるIV−IV線方向の断面図である。
【図５】図３におけるＶ−Ｖ線方向の断面図である。
【図６】従来の蓋固定部材の斜視図である。
【図７】図６の蓋固定部材を用いて容器本体と蓋体とを固定するときの斜視図である。
【符号の説明】
１          蓋体
２          長孔
３          容器本体
４          係止孔
５          胴部
５ａ        外側壁面
５ｂ        外側壁面
６          嵌合爪
７          嵌合爪
１０        レバー部
１１        ガード片
Ｓ          スリット
Ｃ          蓋固定具
【図１】
0004223156.tif 000002
【図２】
0004223156.tif 000003
【図３】
0004223156.tif 000004
【図４】
0004223156.tif 000005
【図５】
0004223156.tif 000006
【図６】
0004223156.tif 000007
【図７】
0004223156.tif 000008